(57)【特許請求の範囲】
【請求項１】
読み取りユニットに対して位置決めされる自動原稿搬送装置が装着可能な画像形成装置において、
本体フレームに対して固定され、自動原稿搬送装置の荷重を受ける自動原稿搬送装置用の取り付けブラケットを備え、この取り付けブラケットは、読み取りユニットに固定される原稿基準スケールに対して位置決め係止されることを特徴とする画像形成装置。
【請求項２】
読み取りユニットに対して位置決めされる自動原稿搬送装置が装着可能な画像形成装置において、
本体フレームに対して固定され、自動原稿搬送装置の荷重を受ける自動原稿搬送装置用の取り付けブラケットを備え、この取り付けブラケットは、読み取りユニットと、読み取りユニットに固定される原稿基準スケールの双方と位置決め係止されることを特徴とする画像形成装置。
【発明の詳細な説明】
【０００１】
【発明の属する技術分野】
本発明は、原稿画像を読み取る読み取りユニットと自動原稿搬送装置（以下、ＡＤＦと称する）が位置決めされる画像形成装置に関し、特に、ＡＤＦの取り付け構造に関する。
【０００２】
【従来の技術】
セットされている原稿を自動的にコンタクトガラス上に搬送し、読み取りユニットによる原稿読み取りが終了した後に、排紙部に原稿を排紙するＡＤＦが広く利用されている。
このＡＤＦは、画像形成装置本体の上部に、コンタクトガラスに対して開閉可能に取り付けられる。
【０００３】
ところで、読み取りユニットによる原稿読み取り時のレジスト、スキューの精度を上げるため、読み取りユニットとＡＤＦの位置関係が精度よくなくてはならない。従って、読み取りユニットとＡＤＦの位置関係を確保するため、ＡＤＦを読み取りユニットに固定、位置決めすることが従来より行われている。
【０００４】
例えば、特開平９−２００４００号公報には、ＡＤＦと画像読取装置の相対位置を決定する位置決め手段を設けた構成が提案されている。具体的には、ＡＤＦと画像読取装置の一方に突起部材を設け、他方に突起部材が嵌合する嵌合部材を設け、突起部材を嵌合部材に嵌合することで、ＡＤＦと画像読取装置を直接固定している。
【０００５】
【発明が解決しようとする課題】
前述したように、ＡＤＦは、本体上部に開閉可能にヒンジ係合されているが、その操作性を良くするために、ヒンジ部分に強力なバネを備えており、開閉時には大きなトルクが取り付け部に発生する。そのため、ＡＤＦを取り付ける対象は充分な強度を備えていなくてはならない。
【０００６】
ここで、読み取りユニットは本体フレームほどの強度を備えていないため、上記従来技術のように、ＡＤＦを読み取りユニットに直接、固定、位置決めしてしまうと、読み取りユニットは、ＡＤＦの重量、開閉時のトルクによって変形しやすい。さらに、ＡＤＦの振動が読み取りユニットに伝わってジター等を発生させる危険性もある。
従って、本体フレームのような強度のある部材に対してＡＤＦを固定するのが望ましいが、一方では、読み取りユニットとＡＤＦの位置関係を確保しなければならない。
【０００７】
本発明は、このような背景に鑑みてなされたものであり、ＡＤＦを読み取りユニットに精度良く取り付け、かつ、読み取りユニットを変形させたり振動を与えたりすることの無いようにすることができる画像形成装置を提供することを目的とするものである。
【０００９】
【課題を解決するための手段】
上記目的を達成するために、請求項１記載の発明は、読み取りユニットに対して位置決めされる自動原稿搬送装置が装着可能な画像形成装置において、本体フレームに対して固定され、自動原稿搬送装置の荷重を受ける自動原稿搬送装置用の取り付けブラケットを備え、この取り付けブラケットは、読み取りユニットに固定される原稿基準スケールに対して位置決め係止されることを特徴とするものである。
【００１０】
また上記目的を達成するために、請求項２記載の発明は、読み取りユニットに対して位置決めされる自動原稿搬送装置が装着可能な画像形成装置において、本体フレームに対して固定され、自動原稿搬送装置の荷重を受ける自動原稿搬送装置用の取り付けブラケットを備え、この取り付けブラケットは、読み取りユニットと、読み取りユニットに固定される原稿基準スケールの双方と位置決め係止されることを特徴とするものである。
【００１２】
請求項１記載の発明では、ＡＤＦは読み取りユニットではなく強度のある取り付けブラケットに固定され、また、原稿スケールと取り付けブラケットが位置決めされるので、ＡＤＦと原稿スケールが位置決めされる。
【００１３】
請求項２記載の発明によれば、ＡＤＦは読み取りユニットではなく強度のある取り付けブラケットに固定され、一方、取り付けブラケットは読み取りユニットに対して位置決め係止されることで、ＡＤＦと読み取りユニットの位置決めも行われる。さらに、原稿スケールも取り付けブラケットを介してＡＤＦに位置決めされる。
【００１４】
【発明の実施の形態】
以下、本発明の実施の形態を添付図面を参照しながら説明する。
図１は画像形成装置の本体フレームを示す斜視図である。
本体フレーム１は、底板２上に縦、横に棒状部材３，４を組み合わせた直方体形状をしており、その上部に後述するＡＤＦ取り付けブラケットを取り付けるためのステー５，６が設けてある。
【００１５】
図２は読み取りユニットの斜視図である。
読み取りユニット１１は、本体フレーム１と固定するための本体取り付け部１１ａをその四隅に備えており、突出片形状の本体取り付け部１１ａに形成したビス穴にビスを通して、本体フレーム１にビスをねじ込むことで、本体フレーム１に読み取りユニット１１が固定（取り付け）される。
また、読み取りユニット１１の一側面には２個所に、後述するＡＤＦ取り付けブラケットと位置決めするためのＡＤＦ位置決め部１１ｂが設けてある。
【００１６】
図３は第１の実施の形態を示すＡＤＦ取り付けブラケットの斜視図である。
ＡＤＦ取り付けブラケット２１は、読み取りユニット１１に形成した突出片形状のＡＤＦ位置決め部１１ｂの長溝と係合する位置決め片２１ａを有する。
また、両側部外方に折り曲げ片２１ｂを形成し、本体フレーム１のステー５，６に当接させ、それぞれの折り曲げ片２１ｂに２個所形成されているビス穴２１ｃにビスを通し、このビスを本体フレーム１のステー５，６にねじ込むことで、ＡＤＦ取り付けブラケット２１を本体フレーム１のステー５，６に固定する。
【００１７】
また、ＡＤＦ取り付けブラケット２１の上部には、ＡＤＦを位置決めするための突起２１ｄと、ＡＤＦを固定するための２つのビス穴２１ｅが形成されている。
【００１８】
図４は原稿スケールの斜視図である。
原稿スケール３１は、読み取りユニット１１に対しての位置決め突起３１ａを２つ備えている。
【００１９】
図５は第１の実施の形態を示す各ユニットの取り付け構成図である。
ＡＤＦ取り付けブラケット２１は、その位置決め片２１ａが読み取りユニット１１のＡＤＦ位置決め部１１ｂに係合することで、読み取りユニット１１に位置決めされる。そして、位置決め後にＡＤＦ取り付けブラケット２１は、本体フレーム１のステー５，６に対してビス止め等の手段で固定される。
従って、ＡＤＦ取り付けブラケット２１に取り付けられるＡＤＦは、読み取りユニット１１に対して位置決めされることになる。
【００２０】
図６は第２の実施の形態を示すＡＤＦ取り付けブラケットの斜視図である。
このＡＤＦ取り付けブラケット４１は、本体フレーム１のステー５，６に当接する折り曲げ片４１ａを両側部に有する。それぞれの折り曲げ片４１ａの２個所に形成されているビス穴４１ｂを利用して、ＡＤＦ取り付けブラケット４１は、ビスで本体フレーム１に固定されるようになっている。
また、ＡＤＦ取り付けブラケット４１の上部には、ＡＤＦを位置決めするための突起４１ｃと、ＡＤＦを固定するためのビス穴４１ｄが形成されている。
【００２１】
さらに、舌片４１ｅが形成されており、この舌片４１ｅには、図４に示す原稿スケール３１と、位置決めするための位置決め穴４１ｆが形成されている。原稿スケール３１に設けてある位置決め突起３１ａを利用し、この位置決め突起３１ａを位置決め穴４１ｆに嵌合することで、ＡＤＦ取り付けブラケット４１と原稿スケール３１は位置決めされる。
【００２２】
但し、位置決め突起３１ａは、上述の例では読み取りユニット１１に位置決めするためのものであるので、他に位置決め突起を設けることも設計上の必要があればもちろん可能である。
【００２３】
図７は第２の実施の形態を示す各ユニットの取り付け構成図である。
ＡＤＦ取り付けブラケット４１は、読み取りユニット１１に固定されている原稿スケール３１に上述のごとく位置決めされた後、本体フレーム１のステー５，６に対してビス止め等の手段で固定される。
【００２４】
原稿スケール３１が読み取りユニット１１に固定されているので、原稿スケール３１に対してＡＤＦ取り付けブラケット４１を位置決めすれば、ＡＤＦ取り付けブラケット４１は、読み取りユニット１１に対しても位置決めされることになり、延いてはＡＤＦが、読み取りユニット１１、原稿スケール３１に位置決めされることになる。
【００２５】
ＡＤＦを使用しないときは通常、原稿を原稿スケール３１に突き当ててコピーをとる。ＡＤＦ使用時とそうでないときのレジスト、スキューの差を小さくするには、ＡＤＦと原稿スケール３１の位置関係を良くしておく必要があるが、上記の構成により、ＡＤＦと原稿スケール３１の位置関係を精度よく保つことができる。
【００２６】
図８は第３の実施の形態を示すＡＤＦ取り付けブラケットの斜視図である。
ＡＤＦ取り付けブラケット５１は、読み取りユニット１１に形成した突出片形状のＡＤＦ位置決め部１１ｂの長溝と係合する位置決め片５１ａを有する。
また、両側部外方に折り曲げ片５１ｂを形成し、本体フレーム１のステー５，６に当接させ、それぞれの折り曲げ片５１ｂに２個所形成されているビス穴５１ｃにビスを通し、このビスを本体フレーム１のステー５，６にねじ込むことで、ＡＤＦ取り付けブラケット５１を本体フレーム１のステー５，６に固定する。
【００２７】
また、ＡＤＦ取り付けブラケット５１の上部には、ＡＤＦを位置決めするための突起５１ｄと、ＡＤＦを固定するための２つのビス穴５１ｅが形成されている。
【００２８】
また、舌片５１ｆが形成されており、この舌片５１ｆには、図４に示す原稿スケール３１と、位置決めするための位置決め穴５１ｇが形成されている。原稿スケール３１に設けてある位置決め突起３１ａを利用し、この位置決め突起３１ａを位置決め穴５１ｇに嵌合することで、ＡＤＦ取り付けブラケット５１と原稿スケール３１は位置決めされる。
【００２９】
但し、位置決め突起３１ａは、上述の例では読み取りユニット１１に位置決めするためのものであるので、他に位置決め突起を設けることも設計上の必要があればもちろん可能である。
【００３０】
図９は第３の実施の形態を示す各ユニットの取り付け構成図である。
ＡＤＦ取り付けブラケット５１は、その位置決め片５１ａが読み取りユニット１１のＡＤＦ位置決め部１１ｂに係合することで、読み取りユニット１１に位置決めされる。そして、位置決め後にＡＤＦ取り付けブラケット５１は、本体フレーム１のステー５，６に対してビス止め等の手段で固定される。
【００３１】
従って、ＡＤＦ取り付けブラケット５１に取り付けられるＡＤＦは、読み取りユニット１１に対して位置決めされることになる。
また、上述したように、原稿スケール３１とＡＤＦ取り付けブラケット５１も位置決めされる。
【００３２】
本実施の画像形成装置は、本体フレーム１に対して読み取りユニット１１が固定され、ＡＤＦ取り付けユニット２１は、読み取りユニット１１と位置決めされた後に本体フレーム１に対して固定されるようになっている。また、読み取りユニット１１に固定された原稿スケール３１に対してＡＤＦ取り付けユニット４１が位置決めされた後、このＡＤＦ取り付けユニット４１は、本体フレーム１に固定されるようになっている。さらに、ＡＤＦ取り付けユニット５１は、読み取りユニット１１と原稿スケール３１の双方に位置決めされた後、本体フレーム１に固定されるようになっている。
従って、所期の目的を達成することができる。
【００３３】
【発明の効果】
請求項１記載の発明によれば、ＡＤＦ取り付けブラケットが本体フレームに対して固定されており、ＡＤＦの重量を本体フレームで受けるため、ＡＤＦの重量によって読み取りユニットが変形することがない。また、ＡＤＦ取り付けブラケットの位置決めは読み取りユニットに対して行われているため、ＡＤＦと読み取りユニットの位置関係は良好に保たれる。従って、ＡＤＦ使用時にも、原稿レジスト、スキューを高い精度で維持できる。さらに、ＡＤＦの重量、開閉時のトルクが読み取りユニットに直接掛からないため、読み取りユニットの変形を防止することができる。
【００３４】
また、請求項１記載の発明によれば、上記の効果に加え、ＡＤＦと原稿スケールの位置関係を良好に保つことができるため、ＡＤＦ使用時にも、原稿レジスト、スキューを高い精度で維持できる効果がある。
なお、ＡＤＦ取り付けブラケットと読み取りユニットを位置決めすれば、読み取りユニットに固定されている原稿基準スケールに対してもＡＤＦ取り付けブラケットは位置決めされる訳であるが、請求項２記載の発明によれば、ＡＤＦ取り付けブラケットと原稿基準スケールも直接位置決めされることで、さらに読み取りユニットの光学的な基準と原稿スケールとの位置関係が高精度に保たれ、かつ、ＡＤＦと原稿スケールも高精度に保たれるため、原稿レジスト、スキューを高い精度で維持することができる。
【図面の簡単な説明】
【図１】画像形成装置の本体フレームを示す斜視図である。
【図２】読み取りユニットの斜視図である。
【図３】本発明の第１の実施の形態を示すＡＤＦ取り付けブラケットの斜視図である。
【図４】原稿スケールの斜視図である。
【図５】本発明の第１の実施の形態を示す各ユニットの取り付け構成図てある。
【図６】本発明の第２の実施の形態を示すＡＤＦ取り付けブラケットの斜視図である。
【図７】本発明の第２の実施の形態を示す各ユニットの取り付け構成図てある。
【図８】本発明の第３の実施の形態を示すＡＤＦ取り付けブラケットの斜視図である。
【図９】本発明の第３の実施の形態を示す各ユニットの取り付け構成図てある。
【符号の説明】
１  本体フレーム
２  底板
３，４  棒状部材
５，６  ステー
１１  読み取りユニット
１１ａ  本体取り付け部
１１ｂ  ＡＤＦ位置決め部
２１  ＡＤＦ取り付けブラット
２１ａ  位置決め片
２１ｂ  折り曲げ片
２１ｃ  ビス穴
２１ｄ  突起
２１ｅ  ビス穴
３１  原稿スケール
３１ａ  位置決め突起
４１  ＡＤＦ取り付けブラット
４１ａ  折り曲げ片
４１ｂ  ビス穴
４１ｃ  突起
４１ｄ  ビス穴
４１ｅ  舌片
４１ｆ  位置決め穴
５１  ＡＤＦ取り付けブラット
５１ａ  位置決め片
５１ｂ  折り曲げ片
５１ｃ  ビス穴
５１ｄ  突起
５１ｅ  ビス穴
５１ｆ  舌片
５１ｇ  位置決め穴
【図１】
0003689833.tif 000002
【図２】
0003689833.tif 000003
【図３】
0003689833.tif 000004
【図４】
0003689833.tif 000005
【図５】
0003689833.tif 000006
【図６】
0003689833.tif 000007
【図７】
0003689833.tif 000008
【図８】
0003689833.tif 000009
【図９】
0003689833.tif 000010